(57)【要約】【課題】スペースを取ることなく、指向性の低い盗難防止用のセキュリティー機能を付加できる記録テープカートリッジの提供を課題とする。【解決手段】記録テープＴが巻装されたリール２０を単一で収容する略矩形状のケース１２と、記録テープＴの端部に設けられ、ケース１２に形成された開口１８から引き出されるリーダー部材３０と、ケース１２を構成する壁部のうち、少なくとも異なる方向を向く３つの壁部１６Ａ、１２Ａ、１２Ｃに形成された収容凹部１０２、１０４、１０６と、収容凹部１０２、１０４、１０６内に収容される大バルクハウゼン効果を備えたアモルファス磁性ワイヤー１００と、収容凹部１０２、１０４、１０６が形成された壁部１６Ａ、１２Ａ、１２Ｃに、収容凹部１０２、１０４、１０６を閉塞するように取り付けられる蓋部材１１２、１１４、１１６と、を有する記録テープカートリッジ１０とする。【選択図】図２
2010211873.tif 000002
【特許請求の範囲】
【請求項１】
記録テープが巻装されたリールを単一で収容する略矩形状のケースと、
前記記録テープの端部に設けられ、前記ケースに形成された開口から引き出されるリーダー部材と、
前記ケースを構成する壁部のうち、少なくとも異なる方向を向く３つの壁部に形成された収容凹部と、
前記収容凹部内に収容される大バルクハウゼン効果を備えたアモルファス磁性ワイヤーと、
前記収容凹部が形成された前記壁部に、該収容凹部を閉塞するように取り付けられる蓋部材と、
を有することを特徴とする記録テープカートリッジ。
【請求項２】
前記アモルファス磁性ワイヤーは、前記収容部凹内に貼り付けられて収容されることを特徴とする請求項１に記載の記録テープカートリッジ。
【請求項３】
前記アモルファス磁性ワイヤーは、前記蓋部材に貼り付けられ、該蓋部材が前記収容凹部を閉塞することで、該収容凹部内に収容されることを特徴とする請求項１に記載の記録テープカートリッジ。
【請求項４】
記録テープが巻装されたリールを単一で収容する略矩形状のケースと、
前記記録テープの端部に設けられ、前記ケースに形成された開口から引き出されるリーダー部材と、
大バルクハウゼン効果を備えたアモルファス磁性ワイヤーが内包された樹脂製のプレートと、
前記ケースを構成する壁部のうち、少なくとも異なる方向を向く３つの壁部に形成され、前記プレートが収容される収容凹部と、
を有することを特徴とする記録テープカートリッジ。
【発明の詳細な説明】
【技術分野】
【０００１】
本発明は、主にコンピューター等の記録再生媒体として使用される磁気テープ等の記録テープが巻装されたリールを単一で備えた記録テープカートリッジに関する。
【背景技術】
【０００２】
従来から、磁気テープ等の記録テープをリールに巻装し、そのリールをケース内に単一で収容してなる記録テープカートリッジが知られている。この記録テープカートリッジは、コンピューター等のデータ記録再生媒体（データバックアップ）として使用されることが多いため、盗難防止用のセキュリティー対策が施されることがある。
【０００３】
例えば、記録テープカートリッジのケース内にセキュリティータグを設け、所定のセキュリティーエリアから記録テープカートリッジが搬出されると、そのセキュリティーエリアの出入口に設けられたゲート等から警報音が発生して、記録テープカートリッジの盗難を防止するシステムが、従来に提案されている（例えば、特許文献１参照）。
【先行技術文献】
【特許文献】
【０００４】
【特許文献１】特開２００４−１２７３４９号公報
【発明の概要】
【発明が解決しようとする課題】
【０００５】
しかしながら、記録テープカートリッジにセキュリティータグを設ける構成であると、記録テープカートリッジのケース内では、セキュリティータグを設ける部位の自由度が少ないため、指向性の高いセキュリティータグでは使用することが困難となる問題がある。換言すれば、記録テープカートリッジのケース内におけるスペースは限られているため、セキュリティータグの形状や配設向き等に制約を受ける問題がある。
【０００６】
そこで、本発明は、上記事情に鑑み、スペースを取ることなく、指向性の低い盗難防止用のセキュリティー機能を付加できる記録テープカートリッジを得ることを目的とする。
【課題を解決するための手段】
【０００７】
上記の目的を達成するために、本発明に係る請求項１に記載の記録テープカートリッジは、記録テープが巻装されたリールを単一で収容する略矩形状のケースと、前記記録テープの端部に設けられ、前記ケースに形成された開口から引き出されるリーダー部材と、前記ケースを構成する壁部のうち、少なくとも異なる方向を向く３つの壁部に形成された収容凹部と、前記収容凹部内に収容される大バルクハウゼン効果を備えたアモルファス磁性ワイヤーと、前記収容凹部が形成された前記壁部に、該収容凹部を閉塞するように取り付けられる蓋部材と、を有することを特徴としている。
【０００８】
請求項１に記載の発明によれば、ケースを構成する壁部のうち、少なくとも異なる方向を向く３つの壁部に形成された収容凹部内に、大バルクハウゼン効果を備えたアモルファス磁性ワイヤーが収容され、その収容凹部が蓋部材によって閉塞されることで、盗難防止用のセキュリティー機能が付加されるため、そのアモルファス磁性ワイヤーを設けるためのスペースが別途取られることがない。また、少なくとも異なる方向を向く３つの壁部にアモルファス磁性ワイヤーが設けられることから、その指向性を低くすることができる。
【０００９】
また、請求項２に記載の記録テープカートリッジは、請求項１に記載の記録テープカートリッジにおいて、前記アモルファス磁性ワイヤーが、前記収容部凹内に貼り付けられて収容されることを特徴としている。
【００１０】
請求項２に記載の発明によれば、アモルファス磁性ワイヤーの形状が崩れることがない。したがって、その指向性をより低くすることができる。
【００１１】
また、請求項３に記載の記録テープカートリッジは、請求項１に記載の記録テープカートリッジにおいて、前記アモルファス磁性ワイヤーが、前記蓋部材に貼り付けられ、該蓋部材が前記収容凹部を閉塞することで、該収容凹部内に収容されることを特徴としている。
【００１２】
請求項３に記載の発明によれば、アモルファス磁性ワイヤーの形状が崩れることがない。したがって、その指向性をより低くすることができる。また、アモルファス磁性ワイヤーが蓋部材に貼り付けられるため、その製造工程を簡略化することができる。したがって、アモルファス磁性ワイヤーが設けられる構成であっても、記録テープカートリッジの製造コストが増加するのを抑制することができる。
【００１３】
また、本発明に係る請求項４に記載の記録テープカートリッジは、記録テープが巻装されたリールを単一で収容する略矩形状のケースと、前記記録テープの端部に設けられ、前記ケースに形成された開口から引き出されるリーダー部材と、大バルクハウゼン効果を備えたアモルファス磁性ワイヤーが内包された樹脂製のプレートと、前記ケースを構成する壁部のうち、少なくとも異なる方向を向く３つの壁部に形成され、前記プレートが収容される収容凹部と、を有することを特徴としている。
【００１４】
請求項４に記載の発明によれば、ケースを構成する壁部のうち、少なくとも異なる方向を向く３つの壁部に形成された収容凹部に、大バルクハウゼン効果を備えたアモルファス磁性ワイヤーが内包された樹脂製のプレートが収容されることで、盗難防止用のセキュリティー機能が付加されるため、そのアモルファス磁性ワイヤーを設けるためのスペースが別途取られることがない。また、少なくとも異なる方向を向く３つの壁部にアモルファス磁性ワイヤーが設けられることから、その指向性を低くすることができる。
【発明の効果】
【００１５】
以上のように、本発明によれば、スペースを取ることなく、指向性の低い盗難防止用のセキュリティー機能を付加できる記録テープカートリッジを提供することができる。
【図面の簡単な説明】
【００１６】
【図１】記録テープカートリッジの概略斜視図
【図２】記録テープカートリッジを上方から見た場合の概略分解斜視図
【図３】記録テープカートリッジを下方から見た場合の概略分解斜視図
【図４】収容凹部内にアモルファス磁性ワイヤーが収容された下ケースを示す概略平面図
【図５】収容凹部内にアモルファス磁性ワイヤーが収容された下ケースを示す概略斜視図
【図６】アモルファス磁性ワイヤーが収容された収容凹部と蓋部材を示す概略側断面図
【図７】アモルファス磁性ワイヤーが貼り付けられた蓋部材を示す概略底面図
【図８】アモルファス磁性ワイヤーが貼り付けられた蓋部材と収容凹部を示す概略側断面図
【図９】アモルファス磁性ワイヤーが内包された蓋部材（プレート）と収容凹部を示す概略側断面図
【発明を実施するための形態】
【００１７】
以下、本発明の実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０の概略構成について説明する。
【００１８】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１９】
すなわち、例えば上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００２０】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００２１】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされている。
【００２２】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２３】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止されるようになっている。
【００２４】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２５】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２６】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２７】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２８】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２９】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３０】
また、図２、図３で示すように、ケース１２の左後コーナー部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３１】
また更に、下ケース１６の底板１６Ａには、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の底板１６Ａの下面から突出することはない。また、図２で示すように、ケース１２の右後コーナー部には、記録容量、記録形式等の各種情報が記憶されたメモリーボードＭが所定の傾斜角度で配置されるようになっている。
【００３２】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００３３】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３４】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３５】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３６】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３７】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。
【００３８】
以上のような構成の記録テープカートリッジ１０において、次にその記録テープカートリッジ１０に付加されたセキュリティー機能について説明する。つまり、所定のセキュリティーエリアから記録テープカートリッジ１０が搬出されるのを防止するために、その記録テープカートリッジ１０のケース１２内、具体的にはケース１２を構成する壁部のうち、少なくとも異なる方向を向く３つの壁部（例えば底板１６Ａ、前壁１２Ａ、左壁１２Ｃ）内に設けられた（収容された）アモルファス磁性ワイヤー１００について説明する。
【００３９】
アモルファス磁性ワイヤー１００は、例えば直径が３０μｍとされた公知のワイヤーであり、低強度の振動磁界に反応して、磁化反転を繰り返す性質（大バルクハウゼン効果）を有している。したがって、その大バルクハウゼン効果によって発生した磁場の変化を検知することで、所定のセキュリティーエリアから記録テープカートリッジ１０が搬出されることを報知できるようになっている。
【００４０】
より具体的に説明すると、例えば図２〜図６で示すように、下ケース１６の底板１６Ａ内面の遊動規制壁４２や周壁１６Ｂで囲まれたリールエリア内には、環状とされた所定深さの収容凹部１０２が形成され、下ケース１６の前側の周壁１６Ｂ（前壁１２Ａ）の内面及び左側の周壁１６Ｂ（左壁１２Ｃ）の内面にも、所定深さの収容凹部１０４、１０６がそれぞれ形成されている。
【００４１】
収容凹部１０２の周縁部には、段差部１０２Ａが形成されており、樹脂材で環形平板状に成形された蓋部材１１２が、その段差部１０２Ａに嵌合されて溶着（固着）される（取り付けられる）ことで、その収容凹部１０２が蓋部材１１２によって閉塞（封止）されるようになっている。
【００４２】
そして、このとき、収容凹部１０２を閉塞した蓋部材１１２の外面が、下ケース１６の底板１６Ａ内面と面一になるように構成されている。つまり、段差部１０２Ａの深さが、蓋部材１１２の厚さと同等とされており、下ケース１６の底板１６Ａ内面から蓋部材１１２が突出しないようになっている。
【００４３】
同様に、収容凹部１０４、１０６の周縁部には、段差部１０４Ａ、１０６Ａがそれぞれ形成されており、樹脂材で矩形平板状に成形された蓋部材１１４、１１６が、各段差部１０４Ａ、１０６Ａに嵌合されて溶着（固着）される（取り付けられる）ことで、各収容凹部１０４、１０６が、各蓋部材１１４、１１６によって閉塞（封止）されるようになっている。
【００４４】
そして、このとき、各収容凹部１０４、１０６を閉塞した各蓋部材１１４、１１６の外面が、下ケース１６の周壁１６Ｂ内面と面一になるように構成されている。つまり、各段差部１０４Ａ、１０６Ａの深さが、各蓋部材１１４、１１６の厚さと同等とされており、下ケース１６の周壁１６Ｂ内面から各蓋部材１１４、１１６が突出しないようになっている。
【００４５】
また、図６で示すように、各蓋部材１１２、１１４、１１６で閉塞される各収容凹部１０２、１０４、１０６内の底面には、糊等の粘着層１０８が形成されており、アモルファス磁性ワイヤー１００が、その粘着層１０８によって貼付固定された状態で、各収容凹部１０２、１０４、１０６内に収容されるようになっている。
【００４６】
すなわち、下ケース１６の底板１６Ａに形成された収容凹部１０２内には、アモルファス磁性ワイヤー１００が、例えば１周以上の渦状に巻かれた状態で貼り付けられており、下ケース１６の周壁１６Ｂ（前壁１２Ａ及び左壁１２Ｃ）に形成された収容凹部１０４、１０６内には、アモルファス磁性ワイヤー１００が、例えば波状（渦状に巻かれた状態でもよい）に貼り付けられている。
【００４７】
したがって、所定のセキュリティーエリアの出入口に、例えば励磁コイルを備えたゲート（図示省略）が対向配置され、その励磁コイルから、所定のレベル以上の振幅を持つ振動磁界が印加されていると、そのゲートを記録テープカートリッジ１０が通過したときには、ケース１２（下ケース１６）に設けられたアモルファス磁性ワイヤー１００において磁化反転が周期的に起こり、その磁化反転に伴う電気的パルスが、対向配置されている励磁コイルで検知される（大バルクハウゼン効果が検知される）。
【００４８】
よって、この検知により、そのゲートから警報音等が発生するようなシステムとすれば、記録テープカートリッジ１０の盗難や不用意な持ち出しを心理的に防止することができる。なお、図示のアモルファス磁性ワイヤー１００は、理解し易くするために、太さや間隔を誇張して描いている。また、アモルファス磁性ワイヤー１００は、その配設長さが長ければ長いほど、感度が良好となることが知られている。
【００４９】
したがって、アモルファス磁性ワイヤー１００は、上記したように、１周以上（可能であれば５周以上）の渦状や波状に配置することが望ましい。具体的には、２５ｍｍ以上とすることが望ましく、１００ｍｍ以上とすることがより望ましい。ちなみに、アモルファス磁性ワイヤー１００をリールエリア内に１周以上の渦状に配置すると、その長さは１００ｍｍ以上となる。
【００５０】
また、アモルファス磁性ワイヤー１００は、少なくとも互いに直交する３つの壁部内、例えば上記したような底板１６Ａ内、前壁１２Ａ内、左壁１２Ｃ内に設けることが望ましい。これにより、アモルファス磁性ワイヤー１００を３次元方向（互いに直交する３方向）に延在させることができるので、その指向性を低くすることができる。つまり、記録テープカートリッジ１０を、どのような姿勢で持っていても、ゲートを通過したときには、大バルクハウゼン効果が検知され、警報音が発生するようにできる。
【００５１】
以上のような構成の記録テープカートリッジ１０において、次にその作用について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００５２】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００５３】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００５４】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００５５】
そして、駆動ギアとリールギア４４とが完全に噛合した状態で、リールプレート４６が、駆動ギアの径方向内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５６】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５７】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５８】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５９】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００６０】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００６１】
ここで、そのドライブ装置内から排出された記録テープカートリッジ１０を所定のセキュリティーエリアから搬出した場合には、警報音が発生し、その搬出が防止されるようになっている。すなわち、記録テープカートリッジ１０内、具体的には下ケース１６の底板１６Ａ及び周壁１６Ｂ（前壁１２Ａと左壁１２Ｃ）に形成された各収容凹部１０２、１０４、１０６内に、アモルファス磁性ワイヤー１００が収容され、各収納凹部１０２、１０４、１０６が、各蓋部材１１２、１１４、１１６によって閉塞（封止）されている。
【００６２】
したがって、例えばセキュリティーエリアの出入口に設けられたゲートを通過すると、そのゲートに設けられた励磁コイルから印加された振動磁界により、アモルファス磁性ワイヤー１００に大バルクハウゼン効果が起き、その大バルクハウゼン効果が、その励磁コイルによって検知される。よって、その検知により、ゲートから警報音が発生し、記録テープカートリッジ１０の盗難や不用意な持ち出しが心理的に防止される。
【００６３】
しかも、このアモルファス磁性ワイヤー１００は、互いに直交する（少なくとも異なる方向を向く）３つの壁部である底板１６Ａ、前壁１２Ａ、左壁１２Ｃに形成された各収納凹部１０２、１０４、１０６の底面に貼付固定され、その渦状や波状等の形状も崩れることがないので、その指向性はより低くなっている。したがって、記録テープカートリッジ１０のセキュリティーエリアからの持ち出しを確実に検知することができる。
【００６４】
また、このアモルファス磁性ワイヤー１００は、各蓋部材１１２、１１４、１１６の内面側の周縁部が、各収納凹部１０２、１０４、１０６の段差部１０２Ａ、１０４Ａ、１０６Ａに溶着（固着）されることで、取り外し不能に封止され、記録テープカートリッジ１０（ケース１２）を分解しても、視認できないようになっている。
【００６５】
したがって、従来技術のセキュリティータグ等のように、ケース１２内に配置される（視認できる）構成に比べて、そのセキュリティー機能が不正に除去されるおそれはなく、重要なデータが記録されている記録テープカートリッジ１０の盗難を確実に防止することができる。
【００６６】
また、このアモルファス磁性ワイヤー１００は、下ケース１６の底板１６Ａや周壁１６Ｂ（前壁１２Ａ及び左壁１２Ｃ）の板厚内に設けられる（各蓋部材１１２、１１４、１１６がケース１２の内方側へ突出しない）ため、そのアモルファス磁性ワイヤー１００を設けるためのスペースが別途取られることがない。よって、セキュリティーエリアからの盗難防止用として高性能なセキュリティー機能を、特別にスペースを取ることなく、記録テープカートリッジ１０に付加することができる。
【００６７】
なお、アモルファス磁性ワイヤー１００は、各収納凹部１０２、１０４、１０６の底面に貼付固定する構成に限定されるものではなく、例えば各蓋部材１１２、１１４、１１６の内面に貼付固定した後、各収容凹部１０２、１０４、１０６を各蓋部材１１２、１１４、１１６が閉塞することで、そのアモルファス磁性ワイヤー１００が、各収容凹部１０２、１０４、１０６内に収容される構成としてもよい。
【００６８】
すなわち、例えば図７、図８で示すように、各蓋部材１１２、１１４、１１６の内面に糊等の粘着層１１０を形成し、その粘着層１１０により、アモルファス磁性ワイヤー１００を上記と同様な渦状や波状に貼り付ける。そして、そのアモルファス磁性ワイヤー１００が貼り付けられた各蓋部材１１２、１１４、１１６の周縁部を、各収容凹部１０２、１０４、１０６の段差部１０２Ａ、１０４Ａ、１０６Ａに溶着（固着）することで、アモルファス磁性ワイヤー１００が、下ケース１６の底板１６Ａ内及び周壁１６Ｂ（前壁１２Ａと左壁１２Ｃ）内に封止される構成としてもよい。
【００６９】
この場合も、互いに直交する（少なくとも異なる方向を向く）３つの壁部である底板１６Ａ、前壁１２Ａ、左壁１２Ｃにアモルファス磁性ワイヤー１００が設けられ、そのアモルファス磁性ワイヤー１００の渦状や波状等の形状が崩れることはないため、その指向性はより低くなっている。したがって、記録テープカートリッジ１０のセキュリティーエリアからの持ち出しを確実に検知することができる。
【００７０】
また、アモルファス磁性ワイヤー１００は、ケース１２とは別部材の蓋部材１１２、１１４、１１６に貼り付けられる構成であるため、ケース１２に貼り付けられる構成に比べて、その製造工程を簡略化することができる。したがって、アモルファス磁性ワイヤー１００が、少なくとも異なる方向を向く（互いに直交する）３つの壁部に設けられる構成であっても、記録テープカートリッジ１０の製造コストが増加するのを抑制することができる。
【００７１】
また更に、アモルファス磁性ワイヤー１００を、各収容凹部１０２、１０４、１０６の底面に粘着層１０８によって貼り付けたり、各蓋部材１１２、１１４、１１６の内面に粘着層１１０によって貼り付ける構成ではなく、図示しない粘着シートにアモルファス磁性ワイヤー１００を渦状又は波状に貼り付け、そのアモルファス磁性ワイヤー１００が貼り付けられた粘着シートを、各収容凹部１０２、１０４、１０６の底面に貼り付けたり、各蓋部材１１２、１１４、１１６の内面に貼り付ける構成としてもよい。
【００７２】
また、アモルファス磁性ワイヤー１００を各収容凹部１０２、１０４、１０６や各蓋部材１１２、１１４、１１６に貼り付けるのではなく、各蓋部材１１２、１１４、１１６に内包（埋設）する構成としてもよい。すなわち、各蓋部材１１２、１１４、１１６を、アモルファス磁性ワイヤー１００が練り込まれた（混入された）樹脂材で射出成形して製造してもよい。
【００７３】
この場合は、各蓋部材１１２、１１４、１１６内におけるアモルファス磁性ワイヤー１００の形状がランダムになるが、上記と同様に、少なくとも異なる方向を向く（互いに直交する）３つの壁部である底板１６Ａ、前壁１２Ａ、左壁１２Ｃにアモルファス磁性ワイヤー１００を配置することができるため、その指向性を低くすることができる。したがって、セキュリティーエリアからの盗難防止用として高性能なセキュリティー機能を、特別にスペースを取ることなく、記録テープカートリッジ１０に付加することができる。
【００７４】
また、このような構成にすると、図９で示すように、各収容凹部１０２、１０４、１０６の周縁部に、段差部１０２Ａ、１０４Ａ、１０６Ａを形成しなくても済むメリットがある。すなわち、この場合は、各収容凹部１０２、１０４、１０６の深さを、本発明に係るプレートとしての各蓋部材１１２、１１４、１１６の厚さと同等とすればよく、各収容凹部１０２、１０４、１０６に、各蓋部材１１２、１１４、１１６を簡単に溶着（固着）することができる。
【００７５】
また、アモルファス磁性ワイヤー１００が貼り付けられた上記粘着シートを、各蓋部材１１２、１１４、１１６（又は下ケース１６でも可）を形成する金型（図示省略）内に貼り付けてから、その金型内に溶融樹脂材を流し込み、その溶融樹脂材が固化する過程で、アモルファス磁性ワイヤー１００が樹脂材に固着される（各蓋部材１１２、１１４、１１６内に埋設される）構成としてもよい。
【００７６】
この場合、その溶融樹脂材の温度によって粘着シートが融解するように、その粘着シートは、例えばポリエチレン（ＰＥ）、ポリエチレンテレフタレート（ＰＥＴ）、ポリカーボネート（ＰＣ）等で構成することが望ましく、融解しやすいように、その厚みはできるだけ薄く形成する方が望ましい。また、その粘着シートが各蓋部材１１２、１１４、１１６内に埋設されるように（表面へ露出しないように）、その粘着強度は比較的弱くした方が望ましい。
【００７７】
以上、本実施形態に係る記録テープカートリッジ１０について説明したが、本実施形態に係る記録テープカートリッジ１０は、図示の実施例に限定されるものではなく、本発明の要旨を逸脱しない範囲内において、適宜設計変更可能なものである。例えば、アモルファス磁性ワイヤー１００を収容する３つの収容凹部１０２、１０４、１０６は、上ケース１４はもちろん、遊動規制壁４２やドア５０等を含めて形成してもよい。
【００７８】
また、リール２０に巻回される記録テープＴは、情報の記録及び記録した情報の再生が可能な長尺テープ状の情報記録再生媒体として把握されるものであれば足り、リール２０を収容する記録テープカートリッジ１０が、如何なる記録再生方式の記録テープＴにも適用可能であることは言うまでもない。
【符号の説明】
【００７９】
１０  記録テープカートリッジ
１２  ケース
１２Ａ  前壁（壁部）
１２Ｂ  右壁
１２Ｃ  左壁（壁部）
１４  上ケース
１４Ａ  天板
１４Ｂ  周壁
１６  下ケース
１６Ａ  底板（壁部）
１６Ｂ  周壁
１８  開口
２０  リール
３０  リーダーピン（リーダー部材）
５０  ドア
８０  制動部材
９０  解除部材
１００  アモルファス磁性ワイヤー
１０２  収容凹部
１０４  収容凹部
１０６  収容凹部
１０８  粘着層
１１０  粘着層
１１２  蓋部材（プレート）
１１４  蓋部材（プレート）
１１６  蓋部材（プレート）
Ｔ  記録テープ
【図１】
2010211873.tif 000003
【図２】
2010211873.tif 000004
【図３】
2010211873.tif 000005
【図４】
2010211873.tif 000006
【図５】
2010211873.tif 000007
【図６】
2010211873.tif 000008
【図７】
2010211873.tif 000009
【図８】
2010211873.tif 000010
【図９】
2010211873.tif 000011